(57)【要約】【課題】    表示部に対して取り付け取り外しを簡単に行うことができ、しかも、表示部に対するレンチキュラレンズの相対位置を簡単に調整することができるフィルタを提供する。【解決手段】  薄型ディスプレイ２０の表示部２１に取り付け取り外し可能な枠部２と、表示部２１に密着して左眼用と右眼用との視差画像情報に対応するレンチキュラレンズ４と、表示部２１に対するレンチキュラレンズ４の位置を調整可能な位置調整手段とを備え、位置調整手段は、枠部２に回動自在に設けられたつまみ部３ａ，３ｂと、これらの回転軸線に対し偏心した位置に設けられた回動ピン３３とを有し、レンチキュラレンズ４に設けられた溝部４１，４２に対して回動ピン３３が回転摺動可能に係合する。【選択図】      図４
2005173034.tif 000002
【特許請求の範囲】
【請求項１】
薄型ディスプレイの表示部に取り付け取り外し可能な枠部と、この枠部に取り付けられ、前記表示部に密着して当該表示部に表示される左眼用と右眼用との視差画像情報に対応するレンチキュラレンズと、前記枠部に設けられ、前記表示部に対する前記レンチキュラレンズの位置を調整可能な位置調整手段とを備えたフィルタであって、
前記位置調整手段は、前記枠部に回動自在に設けられたつまみ部と、このつまみ部の背部において当該つまみ部の回転軸線に対し偏心した位置に設けられた回動ピンとを有し、
前記レンチキュラレンズに設けられた溝部に対して前記回動ピンが回転摺動可能に係合することを特徴とするフィルタ。
【請求項２】
前記枠部には、前記薄型ディスプレイのフロントパネルと前記表示部との隙間に係合可能な爪部が設けられていることを特徴とする請求項１に記載のフィルタ。
【請求項３】
前記位置調整手段は、前記枠部に一対設けられており、各回動ピンが係合する前記溝部は、一方が縦長溝に形成されているとともに他方が横長溝に形成されていることを特徴とする請求項１または請求項２に記載のフィルタ。
【請求項４】
前記薄型ディスプレイの前記表示部の略半面を覆う大きさに形成されていることを特徴とする請求項１乃至請求項３のいずれか１項に記載のフィルタ。
【請求項５】
請求項１乃至請求項４のいずれか１項に記載のフィルタを保持するためのフィルタ用ホルダであって、保持部と、この保持部に設けられた卓上表示用の足部と、被掛け体へ掛けるための掛け部とを具備したことを特徴とするフィルタ用ホルダ。
【発明の詳細な説明】
【技術分野】
【０００１】
本発明は、薄型ディスプレイ、例えば、液晶ディスプレイの表示部に表示される画像情報を立体的に見るためのフィルタおよびフィルタ用ホルダに関するものである。
【背景技術】
【０００２】
従来、写真、映画、テレビジョン等多くの分野において、３次元に画像を表現するための技術として種々の試みがなされている。３次元の画像を得るための観察方式としては、偏光メガネを用いて互いに異なった偏光状態に基づく視差画像を観察するものや偏光メガネを使用せずに複数の視差画像のうちから所定の視差画像を得て、さらにこの画像を観察者の所定の眼に導光する方法等が提案されている。
【０００３】
このうち、メガネを使用しない観察方式としては、レンチキュラレンズを使用して立体画像表示を行うレンチキュラ方式（例えば、特許文献１参照）やパララックス・バリアと呼称されるスリットを使用して立体画像表示を行うパララックス・バリア方式が広く知られており、これらの方式を使用した立体画像プリントや立体画像ディスプレイ等が知られている。
【０００４】
レンチキュラ方式は、左右の異なった視点から撮影された２つの視差画像をストライプ状にそれぞれ分割して抽出し、これらを交互に配列してストライプ画像として表示したものを、レンチキュラレンズを介して左眼と右眼とで観察することにより、立体画像が目視されるものである。
【特許文献１】特開昭６３−２４８２９３号公報（第３頁右下段１行目〜１４行目，第１図）
【発明の開示】
【発明が解決しようとする課題】
【０００５】
前記従来のレンチキュラレンズは、表示部の前面に固定された状態に取り付けられるようになっていた。このため、レンチキュラレンズが取り付けられたディスプレイは、通常画像を表示させてもぼやけた状態にしか見えないため、立体画像表示用のディスプレイとしてのみ使用することができ、通常画像を表示するディスプレイとして兼用することができないという問題があった。
【０００６】
これを解決する方策として、レンチキュラレンズを表示部に対して取り付け取り外し可能に構成することが考えられる。しかし、レンチキュラレンズは、表示部に対して精度良く取り付けられないと、視差画像の分離がうまく行われず、立体画像を目視することができないという難点を有している。
【０００７】
本発明の課題は、表示部に対して取り付け取り外しを簡単に行うことができ、しかも、表示部に対するレンチキュラレンズの相対位置を簡単に調整することができるフィルタを提供することを目的とする。
【課題を解決するための手段】
【０００８】
前記課題を解決した本発明のうち請求項１に係るフィルタは、薄型ディスプレイの表示部に取り付け取り外し可能な枠部と、この枠部に取り付けられ、前記表示部に密着して当該表示部に表示される左眼用と右眼用との視差画像情報に対応するレンチキュラレンズと、前記枠部に設けられ、前記表示部に対する前記レンチキュラレンズの位置を調整可能な位置調整手段とを備えたフィルタであって、前記位置調整手段は、前記枠部に回動自在に設けられたつまみ部と、このつまみ部の背部において当該つまみ部の回転軸線に対し偏心した位置に設けられた回動ピンとを有し、前記レンチキュラレンズに設けられた溝部に対して前記回動ピンが回転摺動可能に係合することを特徴とする。
【０００９】
請求項１に記載の発明によれば、薄型ディスプレイの表示部に対して取り付けることにより、立体表示を行うことができ、薄型ディスプレイを立体表示可能なディスプレイとして使用することができる。また、不使用時には、表示部から取り外すことにより、薄型ディスプレイを通常表示のディスプレイとして使用することができる。これにより、立体表示を行いたいときにのみフィルタを取り付けるという使用態様を採ることができ、レンチキュラレンズが通常表示時の妨げとならないようにすることができる。
【００１０】
回動ピンは、つまみ部の背部においてつまみ部の回転軸線に対し偏心した位置に設けられ、レンチキュラレンズに設けられた溝部に対して回転摺動可能に係合するようになっているので、つまみ部を回動操作すると、溝部に対して摺動回転しつつ所定方向（上下方向あるいは左右方向のいずれか）に移動され、その移動によって、レンチキュラレンズが回転方向あるいは左右方向に位置調整される。ここで、前記溝部が水平方向（横方向）に設けられている場合に、レンチキュラレンズは、回転方向に位置調整され、また、前記溝部が垂直方向（縦方向）に設けられている場合に、レンチキュラレンズは、左右方向に位置調整される。
【００１１】
薄型ディスプレイの表示部にフィルタを取り付けた後、表示部に左眼用と右眼用の視差画像情報を表示させると、視差画像情報は、レンチキュラレンズを通じて所望の方向へ分離され、立体画像として目視される。このとき、つまみ部を操作することによって、表示部に対するフィルタの位置ずれを調整することができる。これにより、表示部に表示される左眼用と右眼用の視差画像情報にレンチキュラレンズを対応させることができる。さらに、レンチキュラレンズは、表示部に密着した状態で取り付けられるので、ぼやけにくい立体画像が表示されるようになる。
【００１２】
請求項２に記載の発明は、請求項１に記載のフィルタにおいて、前記枠部には、前記薄型ディスプレイのフロントパネルと前記表示部との隙間に係合可能な爪部が設けられていることを特徴とする。
【００１３】
請求項２に記載の発明によれば、薄型ディスプレイへのフィルタの取り付けは、薄型ディスプレイのフロントパネルと表示部との隙間に爪部を係合させることにより、ワンタッチで簡単に行うことができる。
【００１４】
請求項３に記載の発明は、請求項１または請求項２に記載のフィルタにおいて、前記位置調整手段は、前記枠部に一対設けられており、各回動ピンが係合する前記溝部は、一方が縦長溝に形成されているとともに他方が横長溝に形成されていることを特徴とする。
【００１５】
請求項３に記載の発明によれば、位置調整手段が一対設けられており、各回動ピンが係合する溝部が、一方が縦長溝に形成されているとともに他方が横長溝に形成されているので、次のような作用が得られる。
すなわち、縦長溝に係合している側のつまみ部を操作すると、回動ピンが縦長溝内を回転摺動しつつ左右方向に移動され、その移動によって、レンチキュラレンズが左右方向に位置調整される。また、横長溝に係合している側のつまみ部を操作すると、回動ピンが横長溝内を回転摺動しつつ上下方向に移動され、その移動によって、レンチキュラレンズが回転方向に位置調整される。したがって、つまみ部の操作に対応して、レンチキュラレンズを左右方向または回転方向に移動調整することができる。この場合、各つまみ部を同時に操作することにより、左右方向および回転方向に同時に移動調整することができ、迅速で正確な位置調整を実現することができる。
【００１６】
請求項４に記載の発明は、請求項１乃至請求項３のいずれか１項に記載のフィルタにおいて、前記薄型ディスプレイの前記表示部の略半面を覆う大きさに形成されていることを特徴とする。
【００１７】
請求項４に記載の発明によれば、薄型ディスプレイの表示部の略半面を立体画像の表示領域とすることができ、残りの表示領域を通常の表示とすることができる。したがって、フィルタを取り付けた側で立体画像を表示させつつ、取り付けられていない側で、マウス操作等の通常操作を行うことができ、使い勝手がよくなる。
【００１８】
請求項５に記載の発明は、請求項１乃至請求項４のいずれか１項に記載のフィルタを保持するためのフィルタ用ホルダであって、保持部と、この保持部に設けられた卓上表示用の足部と、被掛け体へ掛けるための掛け部とを具備したことを特徴とする。
【００１９】
請求項５に記載の発明によれば、保持部には卓上表示用の足部が設けられているので、左眼用と右眼用の視差画像情報が記録された写真等を保持部に収納して、フィルタを保持部に保持することにより、ホルダを立体画像の表示される写真立てとして使用することができる。また、掛け部に被掛け体を掛けることにより、壁などにホルダを掛けた状態にして使用することができる。これらの使用に際しても、つまみ部を操作することにより、視差画像情報等が記録された写真等が立体画像として表示されるようにレンチキュラレンズの位置調整を行うことができる。
【発明の効果】
【００２０】
本発明によれば、薄型ディスプレイの表示部に対して取り付け取り外しを簡単に行うことができ、しかも、表示部に対するレンチキュラレンズの相対位置を簡単に調整することができるフィルタが得られる。また、卓上写真立てや壁掛け用として使用することのできるフィルタ用ホルダが得られる。
【発明を実施するための最良の形態】
【００２１】
以下、図面を参照して、本発明の実施形態に係るフィルタについて説明する。
【００２２】
参照する図面において、図１は、本発明の一実施の形態に係るフィルタを薄型ディスプレイに装着したときの状態を示す斜視図、図２は同じくフィルタの取り付け取り外しにおける状態を表した斜視図、図３（ａ）は、枠部の拡大正面図、図３（ｂ）は、枠部の拡大背面図、図４（ａ）は、レンチキュラレンズを示す拡大背面図、図４（ｂ）は、レンチキュラレンズが取り付けられた状態の枠部の拡大背面図である。本実施形態では、薄型ディスプレイとして、例えば、デスクトップ用パソコンの表示装置等として用いられる液晶ディスプレイに対して取り付け取り外し可能なフィルタについて説明する。
【００２３】
図１，図２に示すように、本実施形態のフィルタ１は、液晶ディスプレイ２０に対して取り付け取り外し可能に設けられており、図１に示すように、取り付けられた状態で、液晶ディスプレイ２０の表示部２１の略半面を覆うようになっている。なお、液晶ディスプレイ２０の表示部２１には、視差を含む画像情報が表示されるようになっている。表示部２１は、例えば、視差を含む画像情報を表示するためのアプリケーションが開いていない場合は、通常の画像（動画や静止画）を表示することが可能である。また、表示部２１には、略左半面に視差を含む画像情報が表示され、略右半面にマウス等で操作のできる通常表示による作業画面等を表示することが可能となっている。したがって、図１，図２に示すようにフィルタ１は、表示部２１の左半面に取り付けられる。
【００２４】
フィルタ１は、図２に示すように、枠部２と、この枠部２の下部左右に一対設けられた位置調整手段としてのつまみ部３ａ，３ｂと、枠部２に取り付けられるレンチキュラレンズ４とを有している。
【００２５】
枠部２は、合成樹脂材により形成されており、図１，図２に示すように、液晶ディスプレイ２０の表示部２１に取り付けられる大きさに形成されている。図２，図３（ａ）（ｂ）に示すように、枠部２の上部２ａと下部２ｂには、液晶ディスプレイ２０のフロントパネル２２の隙間Ｓ（図１参照）に係合可能な爪部５が設けられている。この爪部５は、図２，図３（ｂ）に示すように、その左右両脇にスリット５ａが形成されており、このスリット５ａにより上部２ａ，下部２ｂから分離されて弾力性を有したものとなっている。
図３（ｂ）に示すように、枠部２の背部には、レンチキュラレンズ４（図４（ａ）（ｂ）参照）の脱落を防止するための係止片６，７，８が設けられている。係止片６は四角形状とされ、また、係止片７は略三角形状とされており、左右で異なった形状となっている。
【００２６】
つまみ部３ａ，３ｂは、枠部２の下部左右の角部に設けられており、後記するように、その回動操作によってレンチキュラレンズ４を液晶ディスプレイ２０の表示部２１（図１参照）に対して位置調整をする際に使用される。つまみ部３ａ，３ｂは、左右略同様の構造となっている。ここでは、つまみ部３ａについて説明する。図３（ａ）に示すように、つまみ部３ａは、枠部２の前面側に配置される操作部３１と、図３（ｂ）に示すように、この操作部３１の背部に設けられた回動部３２と、図５（ａ）（ｂ）に示すように、この回動部３２の回転軸線Ｏ１に対して偏心した位置に中心軸Ｏ２を有する回動ピン３３とを有している。したがって、操作部３１を回動操作すると、回動ピン３３は、操作部３１の回転軸線Ｏ１に対して偏心した状態で回動するようになる。すなわち、図５（ａ）に示したように回転軸線Ｏ１から回動ピン３３の中心軸Ｏ２が下側にある状態から、操作部３１を１８０度回動させると、回動ピン３３の位置は、回転軸線Ｏ１を中心として対称の位置、すなわち、回転軸線Ｏ１の上側に中心軸Ｏ２が移動されるようになる。
【００２７】
つまみ部３ｂは、前記のようにつまみ部３ａと略同様であるが、図３（ｂ），図６（ａ）（ｂ）に示すように、回動部３２が、つまみ部３ａの回動部３２よりも小径に形成されている。これにより、その分、回動ピン３３の偏心量も小さくなっている。また、図４（ｂ）に示すように、枠部２におけるつまみ部３ｂの回動部３２の近傍部位には、枠部２に取り付けられたレンチキュラレンズ４の下端部４ｄを支持する支持部２ｃが設けられている。この支持部２ｃは、後記するつまみ部３ａ，３ｂによる回動操作時に、レンチキュラレンズ４の縦長溝４１の側方部位においてレンチキュラレンズ４を支持するようになっている。
【００２８】
レンチキュラレンズ４は、図４（ａ）（ｂ）に示すように、枠部２の背部に取り付けられる大きさに形成されており、図１，図２に示すように、液晶ディスプレイ２０に枠部２を取り付けた際に、表示部２１に密着した状態とされる。レンチキュラレンズ４は、円柱周面形状（シリンドリカル形状）とされた縦方向に亘るレンズが複数横方向に並設されてなり、アクリル樹脂、ポリカーボネート樹脂、塩化ビニル樹脂、スチレン樹脂などの透明樹脂材料を用いて、これらの樹脂を射出成型する手法や樹脂板とレンズ型とを当接させて加熱加圧することによりレンズ型のパターンを転写する押圧成型法などにより形成される。
【００２９】
レンチキュラレンズ４の下部には、図４（ａ）に示すように、縦長溝４１と横長溝４２が設けられている。これら縦長溝４１と横長溝４２には、前記つまみ部３ａ，３ｂの回動ピン３３，３３がそれぞれ係止されるようになっている。
また、レンチキュラレンズ４は、図４（ａ）に示すように、前記枠部２の係止片６，７，８（図３（ｂ）参照）に対応する位置に、これらと対応する形状の段部４ａ，４ｂ，４ｃがそれぞれ設けられている。このようなレンチキュラレンズ４は、図４（ｂ）に示すように、これらの係止片６，７，８に係止されるかたちで、枠部２の背部に取り付けられる。そして、縦長溝４１，横長溝４２に前記回動ピン３３，３３が位置合わせされて係止される。
【００３０】
したがって、前記つまみ部３ａ，３ｂの操作部３１，３１をそれぞれ回動操作すると、その回動が回動ピン３３，３３を通じて縦長溝４１，横長溝４２に伝わり、結果、レンチキュラレンズ４が位置調整されることとなる。
このときの位置調整を図７（ａ）〜（ｄ）を参照して、つまみ部３ａを操作したときの動作について説明する。図５（ａ）に示すように、回動ピン３３が最下端位置にあるときには、図７（ａ）に示すように、つまみ部３ａ側において、レンチキュラレンズ４は最下端位置にある。その後、図７（ｂ）に示すように、操作部３１が図中矢印方向に９０度回動操作されると、回動ピン３３も図中矢印方向に９０度回動される。これにより、レンチキュラレンズ４は、つまみ部３ａ側において、中間位置に上昇される。その後、続けて、図７（ｃ）に示すように、操作部３１が図中矢印方向に９０度回動操作されると、回動ピン３３も同方向に回動され、レンチキュラレンズ４が、つまみ部３ａ側において、最上端位置に上昇される。その後、さらに、図７（ｄ）に示すように、操作部３１が図中矢印方向に９０度回動操作されると、レンチキュラレンズ４は、つまみ部３ａ側において、再び中間位置に下降される。そして、この状態から、さらに、操作部３１が図中矢印方向に９０度回動操作されると、図７（ａ）に示す位置に回動ピン３３が戻り、レンチキュラレンズ４は、つまみ部３ａ側において、再び最下端位置に下降される。
すなわち、つまみ部３ａ側においては、回動ピン３３が係合している溝が横長溝４２となっているので、回動ピン３３の回動移動がレンチキュラレンズ４の回転方向への位置調整に変換される。これにより、つまみ部３ａ側においては、レンチキュラレンズ４の回転方向の位置調整を行なうことができる。
【００３１】
これに対して、つまみ部３ｂ側においては、回動ピン３３が係合している溝が縦長溝４１となっているので、回動ピン３３の回動移動がレンチキュラレンズ４の左右方向への位置調整に変換される。これにより、つまみ部３ｂ側においては、レンチキュラレンズ４の左右方向の位置調整を行うことができる。
このことを図８（ａ）〜（ｄ）を参照して説明すると次のようになる。なお、以下において、「左」「右」は、枠部２の背部側から見たときを基準としている。さらに、レンチキュラレンズ４は、つまみ部３ｂの回動部３２の近傍部位で、支持部２ｃにより支持されており、以下に説明する位置調整は、この支持部２ｃにレンチキュラレンズ４が支持された状態で行われる。
まず、図７（ａ）に示すように、回動ピン３３が最下端位置にあるときには、図８（ａ）に示すように、つまみ部３ｂ側において、レンチキュラレンズ４は左右方向の中間位置にある。その後、図８（ｂ）に示すように、操作部３１が図中矢印方向に９０度回動操作されると、回動ピン３３も図中矢印方向に９０度回動される。これにより、レンチキュラレンズ４は、つまみ部３ｂ側において、最右位置に位置調整される。その後、続けて、図８（ｃ）に示すように、操作部３１が図中矢印方向に９０度回動操作されると、回動ピン３３も同方向に回動され、レンチキュラレンズ４が、つまみ部３ｂ側において、再び左右方向の中間位置に位置調整される。その後、さらに、図８（ｄ）に示すように、操作部３１が図中矢印方向に９０度回動操作されると、レンチキュラレンズ４は、つまみ部３ｂ側において、最左位置に位置調整される。そして、この状態から、さらに、操作部３１が図中矢印方向に９０度回動操作されると、図８（ａ）に示す位置に回動ピン３３が戻り、レンチキュラレンズ４は、つまみ部３ｂ側において、再び左右方向の中間位置に位置調整される。
【００３２】
したがって、このようなつまみ部３ａ，３ｂを同時に操作することにより、レンチキュラレンズ４の一方の側（つまみ部３ａ側）を上下方向に位置調整しつつ、他方の側（つまみ部３ｂ側）を左右方向に位置調整することができる。すなわち、例えば、図９（ａ）に示すように、レンチキュラレンズ４の一方の側であるつまみ部３ａを操作して、このつまみ部３ａ側を、下方向に位置調整した状態を保ちつつ、他方のつまみ部３ｂを回動操作することにより、レンチキュラレンズ４を左右方向に位置調整（図中一点鎖線および二点鎖線で表示）することができる。このときレンチキュラレンズ４は、つまみ部３ｂ側において、支持部２ｃを支点として左右方向にスライドされる。
また、図９（ｂ）に示すように、レンチキュラレンズ４の一方の側であるつまみ部３ａを操作して、このつまみ部３ａ側を上方向に位置調整した状態を保ちつつ、他方のつまみ部３ｂを回動操作することにより、レンチキュラレンズ４を左右方向に位置調整（図中一点鎖線および二点鎖線で表示）することができる。このときレンチキュラレンズ４は、前記と同様につまみ部３ｂ側において、支持部２ｃを支点として左右方向にスライドされる。
【００３３】
さらに、これとは逆に他方のつまみ部３ｂ側を所望の位置に位置調整しつつ、一方のつまみ部３ａを回動操作すると、レンチキュラレンズ４は、支持部２ｃを支点として保持された状態を保ちつつ、つまみ部３ａ側が上下動し、結果、支持部２ｃを支点とした回動方向に位置調整されることとなる。したがって、このような操作を行うことにより、レンチキュラレンズ４の取り付け角度を調整することができる。
このような位置調整を適宜行うことにより、レンチキュラレンズ４の各ラインが主として左右方向へ位置調整されるようになり、図１０に示すように、表示部２１における垂直方向の画素Ｌ，Ｒをレンチキュラレンズ４の各レンズ４３のラインに対応させることができる。これにより、左右の異なった視点から撮影された２つの視差画像情報を、レンチキュラレンズ４を介して左眼と右眼とで観察することにより、立体画像が目視される。
【００３４】
このようなレンチキュラレンズ４の位置調整にあたっては、位置調整用パターンの画像を表示することができる。この画像としては、例えば、表示部２１に異なる文字や背景色を構成するストライプ画像を表示されるものなどが用いられる。これを目視し、左眼と右眼に所定の文字や背景が映るかどうかをテストする。この場合に、所定の文字や背景が映らない場合には、表示部２１の垂直方向の画素とレンチキュラレンズ４との相対位置関係がずれているということが考えられる。
【００３５】
以上説明した本発明によれば、液晶ディスプレイ２０の表示部２１に対して取り付けることにより、立体表示を行うことができ、液晶ディスプレイ２０を立体表示可能なディスプレイとして使用することができる。また、不使用時には、表示部２１から取り外すことにより、液晶ディスプレイ２０の表示部２１に通常表示を行うことができる。これにより、立体表示を行いたいときにフィルタ１を取り付けるという使用態様を採ることができ、レンチキュラレンズ４が通常表示時の妨げとなることが無い。
【００３６】
つまみ部３ａ，３ｂの回動ピン３３，３３は、つまみ部３ａ，３ｂの背部においてつまみ部３ａ，３ｂの回転軸線Ｏ１に対し偏心した位置に設けられ、レンチキュラレンズ４に設けられた縦長溝４１、横長溝４２に対して回転摺動可能に係合するようになっているので、つまみ部３ａ，３ｂを回動操作すると、これらの縦長溝４１、横長溝４２に対して摺動回転しつつ所定方向（上下方向、左右方向）に移動される。これによって、レンチキュラレンズ４が回転方向、左右方向に位置調整される。また、各つまみ部３ａ，３ｂを同時に操作することにより、レンチキュラレンズ４を回転方向および左右方向に同時に移動調整することができ、迅速で正確な位置調整を実現することができる。
【００３７】
さらに、レンチキュラレンズ４は、表示部２１に密着した状態で取り付けられるので、ぼやけにくい立体画像が表示されるようになる。
【００３８】
また、液晶ディスプレイ２０へのフィルタ１の取り付けは、液晶ディスプレイ２０のフロントパネル２２と表示部２１との隙間Ｓ（図１，図２参照）に各爪部５を係合させることにより、ワンタッチで簡単に行うことができる。
【００３９】
さらに、フィルタ１は、液晶ディスプレイ２０の表示部２１の略半面に取り付けられるようになっているので、表示部２１の略半面を立体画像の表示領域とすることができ、残りの表示領域を通常の表示とすることができる。したがって、フィルタ１を取り付けた側で立体画像を表示させつつ、取り付けられていない側で、マウス操作等の通常操作を行うことができ、使い勝手がよくなる。
【００４０】
以上説明したフィルタ１は、次に説明するようなフィルタ用ホルダ５０に保持することが可能である。図１１（ａ）は、フィルタ用ホルダに保持された状態のフィルタを示した斜視図、図１１（ｂ）は、フィルタ用ホルダに対するフィルタの取り付け取り外しの状態を表した斜視図、図１２（ａ）は、フィルタ用ホルダに保持された状態のフィルタを示した拡大正面図、図１２（ｂ）は、同じく拡大背面図、図１３は同じく拡大側面図、図１４は足部を開いた状態を示した拡大側面図である。
【００４１】
これらの図面において、フィルタ用ホルダ５０は、保持部５１と、この保持部５１の背部に設けられた卓上表示用の足部５２とを備えている。
保持部５１は、フィルタ１を収容することが可能な収容部５１ｂを有しており、通常、この収容部５１ｂには、前記表示部２１に相当する、レンチキュラレンズ４を用いた立体視用の画像や写真等（不図示）が挟み込まれるようになっている。収容部５１ｂにおけるフィルタ１の爪部５に対向する部位には、この爪部５が係合可能な係合溝５１ａが設けられている。したがって、フィルタ１を収容部５１ｂに収容すると、フィルタ１の枠部２の爪部５が係合溝５１ａにそれぞれ係合し、収容部５１ｂからのフィルタ１の脱落が防止される。
【００４２】
足部５２は、図１２（ｂ），図１３に示すように、支軸５２ａ，５２ａ（図１３では片側のみ図示）を介して保持部５１の背部に起倒自在に設けられており、図１１（ａ）（ｂ），図１４に示すように、起こした状態とすることにより、フィルタ用ホルダ５０を卓上用写真立てとして使用することができるようになる。このような使用態様においても、つまみ部３ａ，３ｂを操作することにより、レンチキュラレンズ４の位置を立体視用の画像や写真等に合わせて位置調整することができる。
【００４３】
また、図１２（ｂ）に示すように、足部５２には、図示しない被掛け体に掛けるための掛け部５２ｂが設けられている。したがって、この掛け部５２ｂを利用して、構造物の壁面等にフィルタ用ホルダ５０を掛けることができる。なお、前記液晶ディスプレイ２０にて使用するときには、保持部５１よりフィルタ１を取り外し、これを液晶ディスプレイ２０の表示部２１に取り付けることにより、いつでも液晶ディスプレイ２０用のフィルタ１として用いることができる。
【００４４】
このようなフィルタ用ホルダ５０によれば、立体画像の表示される卓上写真立てや、壁掛け用等の額として使用することができ、フィルタ１の用途を広げることができる。
【００４５】
以上、本発明に係る実施形態について説明したが、本発明はこれらに限定されず、発明の主旨に応じた適宜の変更実施が可能であることはいうまでもない。例えば、フィルタ１は、表示部２１の全体を覆う大きさに設けても良い。また、本実施形態では、表示部２１として液晶パネルを採用したが、その他、発光素子アレイ表示装置、有機エレクトロルミネセンス表示装置等、種々のものを採用することができる。さらに、前記実施形態では、つまみ部３ａ，３ｂが枠部２の下側に配置されるように表示部２１等に取り付けたが、上下逆向きにして取り付けるようにすることもできる。また、つまみ部３ａ，３ｂは、枠部２の下部２ｂに設けたが、枠部２の上部２ａあるいは左右側部に設けても良い。
【図面の簡単な説明】
【００４６】
【図１】本発明の一実施の形態に係るフィルタを薄型ディスプレイに装着したときの状態を示す斜視図である。
【図２】同じくフィルタの取り付け取り外しにおける状態を表した斜視図である。
【図３】（ａ）は、枠部の拡大正面図、（ｂ）は、枠部の拡大背面図である。
【図４】（ａ）は、レンチキュラレンズを示す拡大背面図、（ｂ）は、レンチキュラレンズが取り付けられた状態の枠部の拡大背面図である。
【図５】（ａ）（ｂ）は、つまみ部（横長溝側）の縦断面図である。
【図６】（ａ）（ｂ）は、つまみ部（縦長溝側）の縦断面図である。
【図７】（ａ）〜（ｄ）は、つまみ部（横長溝側）の作用説明図である。
【図８】（ａ）〜（ｄ）は、つまみ部（縦長溝側）の作用説明図である。
【図９】（ａ）（ｂ）は、位置調整の様子を示す模式図である。
【図１０】表示部とレンチキュラレンズとの位置関係を示す模式図である。
【図１１】（ａ）は、フィルタ用ホルダに保持された状態のフィルタを示した斜視図、（ｂ）は、フィルタ用ホルダに対するフィルタの取り付け取り外しの状態を表した斜視図である。
【図１２】（ａ）は、フィルタ用ホルダに保持された状態のフィルタを示した拡大正面図、図（ｂ）は、同じく拡大背面図である。
【図１３】同じく拡大側面図である。
【図１４】足部を開いた状態を示した拡大側面図である。
【符号の説明】
【００４７】
１      フィルタ
２      枠部
２ｃ    支持部
３ａ，３ｂ    つまみ部
４      レンチキュラレンズ
５      爪部
２０    液晶ディスプレイ
２１    表示部
２２    フロントパネル
３１    操作部
３２    回動部
３３    回動ピン
４１    縦長溝
４２    横長溝
４３    レンズ
５０    フィルタ用ホルダ
５１    保持部
５２    足部
Ｏ１    回転軸線
Ｏ２    中心軸
Ｓ      隙間
【図１】
2005173034.tif 000003
【図２】
2005173034.tif 000004
【図３】
2005173034.tif 000005
【図４】
2005173034.tif 000006
【図５】
2005173034.tif 000007
【図６】
2005173034.tif 000008
【図７】
2005173034.tif 000009
【図８】
2005173034.tif 000010
【図９】
2005173034.tif 000011
【図１０】
2005173034.tif 000012
【図１１】
2005173034.tif 000013
【図１２】
2005173034.tif 000014
【図１３】
2005173034.tif 000015
【図１４】
2005173034.tif 000016